(57)【要約】 【課題】耐高電圧にして高容量化されたブロック型コンデンサを効率よく生産する。【解決手段】極性のないチップ型積層コンデンサ５を準備して、その複数個を束ねてコンデンサ集束群Ａを形成する。このコンデンサ集束群Ａを並列に２組に並べて非導電性容器１１内に収容する。非導電性容器１１内において内方に位置する一対の第一外部電極４ａに一つの第一外部端子１２を接合するとともに、第一外部電極の背面側において外方に向かって露出する２組の第二外部電極４ｂのそれぞれを第二外部端子１３ａ，１３ｂに接合させてブロック型コンデンサ１０とする。このブロック型コンデンサを電源回路に組み込んで、１組の第一外部電極をプラス電位に接続し、２組の第二外部電極を接地電位に接続すると、高容量にして優れた周波数特性を有するブロック型のコンデンサとなる。【選択図】  図２
2010123585.tif 000002
【特許請求の範囲】
【請求項１】
第一外部電極（４ａ）が一つの第一外部端子（１２）に接合する複数個のチップ型積層コンデンサ（５）を非導電容器（１１）内に複数個収容するとともに、前記第一外部電極の背面側に存在する第二外部電極（４ｂ）を二組に分けてそれぞれ第二外部端子（１３）に接合させたことを特徴とするブロック型コンデンサ。
【請求項２】
第一外部電極（４ａ）が一つの第一外部端子（１２）に接合する複数個のチップ型積層コンデンサ（５）を非導電性容器（１１）内に三次元方向に複数個収容するとともに、前記第一外部電極の背面側に存在する第二外部電極（４ｂ）を二組に分けてそれぞれ第二外部端子（１３）に接合させたことを特徴とするブロック型コンデンサ。
【請求項３】
前記第一外部電極（４ａ）をプラス電位に接続可能にし、前記第二外部電極（４ｂ）を接地電位に接続可能にしたことを特徴とする請求項１又は請求項２記載のブロック型コンデンサ。
【請求項４】
前記第二外部端子（１３）は、二組に分けられている請求項１又は請求項２記載のブロック型コンデンサ。
【請求項５】
複数個のチップ型積層コンデンサ（５）を束ねて得た二つのコンデンサ集束群（Ａ１、Ａ２）から内方に向かって露出する二群の第一外部電極（４ａ）を全て一つの第一外部端子（１２）に接合させ、前記二つのコンデンサ集束群から外方に向かって露出する二群の第二外部電極（４ｂ）をそれぞれ二つの第二外部電端子（１３）に接合させたことを特徴とするブロック型コンデンサ。
【請求項６】
前記二つのコンデンサ集束群（Ａ１、Ａ２）が有底非導電性容器（１１）に収納されている請求項５記載のブロック型コンデンサ。
【請求項７】
有底非導電性容器（１１）に収容されている前記二つのコンデンサ集束群（Ａ１、Ａ２）が非導電性の仕切り板（１１ａ）で仕切られている請求項５記載のブロック型コンデンサ。
【請求項８】
前記第一外部電極（４ａ）又は第二外部電極（４ｂ）の少なくとも一つに、チップ型積層コンデンサ（５）を他の外部電極側に押圧するバネ部（１６）を設けてなる請求項１、請求項２又は請求項５記載のブロック型コンデンサ。
【発明の詳細な説明】
【技術分野】
【０００１】
本発明は、多数個のチップ型積層コンデンサを束ねて得たコンデンサ集束群を、所定の外部端子を介して、複数列、非導電性容器内に配置してなる構造のブロック型コンデンサに関するものである。
【背景技術】
【０００２】
従来、第一外部電極が１組の第一外部端子に当接する複数個のチップ型コンデンサを複数個並べるとともに、前記第一外部電極の背面側に存在する前記チップ型コンデンサの二つの外部電極を２組の第二外部端子に分けてなるブロック型コンデンサは、例えば、実開平３−９５６１９号公報で公知である。この公知技術によると、２組の外部電極を１組の外部端子に接合できるので、電源回路にこの公知技術に係るブロック型コンデンサを組み込んだ場合、多数個のコンデンサの第一、第二外部電極をそれらに対応する第一、第二外部端子に接合するそれ以前の公知技術に係るコンデンサ集合群に比較すると、それは高電圧に耐えるとともに高容量化されるものと考えられる。
【特許文献１】実開平３−９５６１９号公報
【発明の開示】
【発明が解決しようとする課題】
【０００３】
しかしながら、この公知例技術において使用されるチッブ型コンデンサは、電解コンデンサであるため、外部端子に極性があり、すなわち、一つの外部端子が陽極であり、他の外部端子が陰極であるので、多数個のチッブ型コンデンサをブロック状に組み立てるとき、同極同士をまとめなければならないという作業上の煩雑さを回避できないという問題があり、その結果ブロック型コンデンサの生産性を向上させるには限度がある。
【０００４】
そこで、本発明者は、多数個のチップ型コンデンサを使用して高電圧に耐えるとともに高容量化されたブロック型コンデンサを高い生産性を以って製造できないか、鋭意、検討したところ、特定のチップ型コンデンサ、すなわち、一つの外部端子（以下、「第一外部端子」という。）と、その外部端子の背面の位置関係にある他の外部端子（以下、「第二外部端子」という。）を有するチップ型の積層コンデンサを使用すれば、その積層コンデンサには極性がないため、第一、第二外部端子の極性を意識することなく、第一外部電極又は第二外部電極を第一外部端子又は第二外部端子に接合させることができるという事実を見出し、本発明を完成した。従って、本発明の課題は、高耐電圧にして高容量化されたブロック型コンデンサを効率よく生産することにある。
【課題を解決するための手段】
【０００５】
本発明は、前記の課題を解決するために、  第一外部電極が一つの第一外部端子に接合する複数個のチップ型積層コンデンサを非導電性容器内に複数個収容するとともに、前記第一外部電極の背面側に存在する第二外部電極を２組に分けて、それぞれを第二外部端子に接合させたるという手段を採用する。この手段を採用することにより、チップ型積層コンデンサには極性がないので、外部端子の極性を意識することなく、非導電性容器に対して複数個のチップ型積層コンデンサの組み込むことができる。
【０００６】
同様に、本発明は前記の課題を解決するために、第一外部電極が一つの第一外部端子に接合するチップ型積層コンデンサを非導電性容器内に三次元方向に複数個収容するとともに、前記第一外部電極の背面側に存在する第二外部電極を２組に分けて、それぞれを第二外部端子に接合させるという手段を採用する。この手段を採用することにより、多数個のチップ型の積層コンデンサを非導電性容器内に立体的に積み上げる際も、チップ型積層コンデンサには極性がないので、外部端子の極性を意識することなく、非導電性容器に対して、さらに多数個のチップ型積層コンデンサを組み付けることができる。
【０００７】
本発明においては前記手段に加えて、前記第一外部電極をプラス電位に接続可能にし、前記第二外部電極を接地電位に接続可能にするという手段を併用する。この手段を採用することにより、非導電性容器内に立体的に組み込まれた多数個のチップ型積層コンデンサの合計の静電容量が得られる。
【０００８】
なお、本発明は前記のように構成されるが、さらに具体的に、複数個のチップ型積層コンデンサを束ねて得た二つのコンデンサ集束群から内方に向かって露出する二群の第一外部電極を全て一つの第一外部端子に接合させ、前記二つのコンデンサ集束群から外方に向かって露出する二群の第二外部電極をそれぞれ二つの第二外部端子に接合させるという構成を採用して、第一外部電極をプラス電位にすることにより上述の作用を発現させる。
【発明の効果】
【０００９】
本発明において上記の作用が発現するので、外部電極がある電子・電気機器に乾電池を挿入するような場合と異なり、多数個のチップ型積層コンデンサを、その外部端子の極性を意識するとこなく、非導電性容器の中に収容できるので、ブロック型の積層コンデンサの生産性が顕著に向上する。また、２組の第一外部端子に対して一つの第一外部電極がプラス電位として接続されるので、ブロック化される積層コンデンサ全部の静電容量が得られるとともに、等価抵抗と直列等価インダクタンスを著しく低減できるという効果を発揮する。
【発明を実施するための最良の形態】
【００１０】
次に、図面を参照しながら、本発明を実施するための最良の形態について詳述する。図１に示すように、本発明に係るチップ型積層コンデンサは、チップ状のセラミック素体１をその長手方向に水平にした場合、その中において水平方向に内部電極２が、多数枚、所定間隔をおいて積層されているとともに、奇数番目の第一内部電極２ａの一端がセラミック素体１の第一の垂直端面３ａに露出し、同じく他端がセラミック素体１の中に自由端として存在し、偶数番目の第二内部電極２ｂの一端がセラミック素体１の中に自由端として存在し、同じく他端がセラミック素体１の第二の垂直端面３ｂに露出している。なお、内部電極２ａ、２ｂが内部に積層されたチッブ状のセラミック素体１は、周知にように、片面に同一形状・大きさの第一、第二内部電極２ａ、２ｂを片側に寄せて印刷して得た複数枚のセラミックシートを交互に重ねて焼成することにより得られる。
【００１１】
上述した構造のチップ型セラミック素体１の第一、第二の垂直端面３ａ、３ｂには、それらに端部を露出させている前記第一、第二内部電極２ａ、２ｂと電気的に導通する第一、第二外部電極４ａ、４ｂが形成され、本発明に係るチップ型積層コンデンサ５となっている。
【００１２】
上述した要素から構成される本発明に係るチップ型積層コンデンサ５は、構造的にも形状的にもそして電気的にも異方性がなく、後述する第一、第二外部端子間にチップ型積層コンデンサ５を挿入して通電させるとき、第一外部電極４ａを第一外部端子に、そして第二外部電極４ｂを第二外部端子に接合させたり、第一外部電極４ａを第二外部端子に、そして第二外部電極４ｂを第一外部端子に接合させたりしても、チップ型積層コンデンサ５の電気特性には、前記第一、第二外部端子間に日常的に使用される乾電池に意識されるような異方性、すなわち極性がない。
【００１３】
次に本発明に係るブロック型コンデンサについて説明すると、図２〜図６に示すように、ブロック型コンデンサ１０は、有底非導電性容器１１と、その容器１１内において少なくとも矢印Ｘ、Ｙの平面方向、さらに好ましくは矢印Ｚの上下方向の三次元状に配置される多数個のチップ型積層コンデンサ５と、チップ型積層コンデンサ５の第一、第二外部電極４ａ、４ｂと接合する第一、第二外部端子１２、１３とから構成される。
【００１４】
しかしながら、本発明に係るブロック型コンデンサ１０においては、両端に第一、第二外部電極４ａ、４ｂを有するチップ型積層コンデンサ５がＸ方向に複数個束ねられているコンデンサ集束群Ａが、Ｙ方向に２列配列され、さらに好ましくはＺ方向にも少なくとも２列積み重ねられて三次元状にブロック化されている点において、公知のブロック型コンデンサの構造と顕著に相違する。
【００１５】
上記構成の相違に起因して、コンデンサ集束群ＡにおいてＸ方向面に露出する多数の第一、第二外部電極４ａ、４ｂに接合させる第一、第二外部端子１２、１３の構造及び面積が特有な構造及び形状を有している。すなわち、コンデンサ集束群Ａを第一、第二コンデンサ集束群Ａ１、Ａ２としてＹ方向に２列に配置したため、本発明に係るブロック型コンデンサ１０においては、互いに接近した第一、第二コンデンサ集束群Ａ１、Ａ２においてそれらの内側で相対峙する２組の第一外部電極４ａの間に１枚の共通する第一外部端子１２が介在しているとともに、１組の第一外部電極４ａの背面側の位置で外方に向かって露出する２組の第二外部電極４ｂがそれぞれ１枚（合計２枚の）の第二外部端子１３に接合する構造になっている。
【００１６】
前記したように本発明に係るチップ型積層セラミックコンデンサ５においては、第一、第二外部電極４ａ、４ｂには、電気的に極性がないから、１枚の第一外部端子１２に同時に接合する第一、第二コンデンサ集束群Ａ１、Ａ２におけるチップ型積層セラミックコンデンサ５の外部電極は、第一コンデンサ集束群Ａ１の第一外部電極４ａと、第二コンデンサ集束群Ａ２の第二外部電極４ｂであってもよいし、同様に、第一外部電極４ａ同士又は第二外部電極４ｂ同士でもよい。同様に、外部端子についても、便宜上、１枚の第一外部端子１２と２枚の第二外部端子１３との組み合わせについて言及したが、本発明においては２枚の第一外部端子１２と１枚の第二外部端子１３とを組み合わせて、後者をブロック状コンデンサ１０の内方に配置する態様を採用してもよい。
【００１７】
さらに本発明においては、ブロック状コンデンサ１０の内方に１枚配置される第一外部端子１２（又は第二外部端子１３）を、図２及び図３に示すように、有底非導電性容器１１における底部の真ん中から壁状に立ち上げる仕切り板１１ａの上端から仕切り板１１ａの両側壁側に垂下延展する第一、第二平面部１４、１５を形成し、それらの平面部１４、１５を、図２に示すように、ブロック型コンデンサ１０の内方に露出する第一、第二コンデンサ集束群Ａ１、Ａ２の第一外部電極４ａに接合させる。
【００１８】
一方、ブロック型コンデンサ１０の外方に露出している第一、第二コンデンサ集束群Ａ１、Ａ２の第二外部電極４ｂと接合する第二外部端子１３の中腹部の一部分を、図４に示すように、複数箇所で切欠き形成して複数個の板バネ部１６を形成し、それらの板バネ部１６を第一、第二コンデンサ集束群Ａ１、Ａ２の第二外部電極４ｂに接合させるとともに、絶えず第二外部電極４ｂをブロック型コンデンサ１０の内方に押圧して、チップ型積層コンデンサ５の第一、第二外部電極４ａ、４ｂと第一、第二外部端子１２、１３との接合を確実にしている。なお、上記説明においてはブロック型コンデンサ１０の内方側にある第一外部電極４ａが第一外部電極１２と接合する態様について説明したが、本は発明に係るチップ型積層コンデンサ１０には極性が存在しないので、第二外部電極１ｂをブロック型コンデンサ１０の内方に位置させることも当然可能である。
【００１９】
このような構造のブロック型コンデンサ１０において、その内方に存在する一対の第一外部電極４ａと接合する一つの第一外部端子１２をプラス電位に接続可能にし、外方に向かって露出する二つの第二外部電極４ｂをそれぞれ対応する第二外部端子１３ａ、１３ｂと接合させているので、このブロック型コンデンサ１０を電源回路に組み込んで、前記第一外部端子１２をプラス電位に、そして第二外部端子１３ａ、１３ｂを接地電位に接続すると、本発明に係るブロック型コンデンサ１０は、図７に示すような等価回路を有する。
【００２０】
その結果、ブロック型コンデンサ１０を構成しているチップ型積層コンデンサ５の合計容量が前記電源回路における静電容量と実質的に等しくなり、直列等価抵抗及び直列等価インダクタンスが、チップ型積層コンデンサ５の個数に相応して低下する。そのため、本発明に係るブロック型コンデンサは、高容量でありながら優れた周波数特性を示す。
【００２１】
また、従来技術により、本発明に係るブロック型コンデンサ１０と同等の容量を有するコンデンサを大型の一つのセラミック素体から形成する場合、機械的強度を向上させることが困難であるという問題があり、ひいては、同等の性能を有するコンデンサを得るには歩留まりの低下を免れなかったのであるが、本発明においては、機械的強度の向上が容易で、歩留まりが良好な小型のチップ型積層コンデンサの多数個から製造しているので、上記の問題を解消することが可能になる。
【００２２】
本発明は、その根本的技術思想を踏襲し発明の効果を著しく損なわない限度において、前記の実施態様の一部分を変更して実施することができる。例えば、図８に示すように、複数個のチップ型積層コンデンサ５を矢印Ｘの方向に束ねた第一、第二コンデンサ集束群Ａ１、Ａ２を矢印Ｙ方向に２列に配置し、それらを図９に示すように仕切り板１１ａを有する有底非導電性容器１１に配置するとともに、図２に示したような機能を有する第一、第二外部端子を組み込むことにより、ブロック型コンデンサを製造することもできる。この態様で得られたブロック型コンデンサも、図１０に示すような等価回路を有するに至る。図示しないが、第一、第二コンデンサ集束群を上下方向に３段以上に積み重ねることもできる。
【産業上の利用可能性】
【００２３】
本発明は、極性の存在を意図することなく、両端部に二種の外部電極が背面関係を維持する位置に露出しているチッブ型積層コンデンサをブロック化する分野において広く有用することができる。
【図面の簡単な説明】
【００２４】
【図１】本発明に係るブロック型コンデンサに組み込まれるチップ型積層コンデンサの側面図である。
【図２】前記ブロック型コンデンサの部分破断斜視図である。
【図３】前記ブロック型コンデンサの第一外部端子を有底非導電性容器に組み付ける状態を示す部分破断斜視図である。
【図４】ブロック型コンデンサの第二外部端子の部分破断斜視図である。
【図５】本発明の第一実施形態においてコンデンサ集束群の積み重ね状態を示す斜視図である。
【図６】同じ態様においてコンデンサ集束群が有底非導電性容器に収納される状態を示す部分破断斜視図である。
【図７】同じ態様における本発明に係るブロック状コンデンサの等価回路図である。
【図８】本発明の第二実施形態においてコンデンサ集束群の積み重ね状態を示す斜視図である。
【図９】同じく第二実施形態においてコンデンサ集束群が有底非導電性容器に収納される状態を示す部分破断斜視図である。
【図１０】同じ態様における本発明に係るブロック状コンデンサの等価回路図である
【符号の説明】
【００２５】
１：チップ型セラミック素体、
２ａ、２ｂ：第一、第二内部電極、
３ａ、３ｂ：第一、第二の垂直端面、
４ａ、４ｂ：第一、第二外部電極
５：チップ型積層コンデンサ
１０：ブロック型コンデンサ
１１：非導電性容器、１１ａ：仕切り板
１２：第一外部端子
１３：第二外部端子
１４：第一平面部
１５：第二平面部
１６：バネ部
Ａ：コンデンサ集束群
Ａ１、Ａ２：第一、第二コンデンサ集束群
Ｘ、Ｙ、Ｚ：矢印
【図１】
2010123585.tif 000003
【図２】
2010123585.tif 000004
【図３】
2010123585.tif 000005
【図４】
2010123585.tif 000006
【図５】
2010123585.tif 000007
【図６】
2010123585.tif 000008
【図７】
2010123585.tif 000009
【図８】
2010123585.tif 000010
【図９】
2010123585.tif 000011
【図１０】
2010123585.tif 000012